(57)【特許請求の範囲】
【請求項１】
体外循環する患者の血液に対して血液透析処理しつつその患者のドライウェイトであろうと推定された推定ドライウェイトに基づいた除水量に従って除水して透析治療を行う透析処理手段と、
該透析処理手段による透析治療過程で体外循環する血液の濃度に係るパラメータを時系列的に複数時点で測定して時系列データを得る検出手段と、
前記透析処理手段による透析治療後、前記推定ドライウェイトがドライウェイトに近似しているか否かを判定して当該透析治療の適否を判定する判定手段と、
前記検出手段で得られた時系列データのうち前記判定手段で適正な透析治療であったと判定された時系列データを複数記憶し得る記憶手段と、
を具備するとともに、前記記憶手段で記憶された時系列データに所定の演算を行って標準化し、患者の体重又は除水量など特定患者固有の条件に関わらない普遍的な時系列データとすることを特徴とする血液透析装置。
【請求項２】
前記判定手段は、除水による患者の体重変化率で循環血漿量変化率を除して得られるＰＷＩなる指標の算出に基づき、前記推定ドライウェイトがドライウェイトに近似しているか否かを判定するものであることを特徴とする請求項１記載の血液透析装置。
【請求項３】
前記記憶手段で記憶された複数の時系列データに基づき、適正な透析治療過程において予想される時系列データの適正推移を算出する算出手段を具備したことを特徴とする請求項１又は請求項２記載の血液透析装置。
【請求項４】
前記算出手段は、体外循環する血液の濃度に係るパラメータの測定時点毎における下限値から上限値までの所定幅を持った適正推移範囲を算出することを特徴とする請求項３記載の血液透析装置。
【請求項５】
前記透析処理手段による透析治療を行う際、前記算出手段にて算出された適正推移又は適正推移範囲をグラフとして表示しつつ前記検出手段にて測定されたパラメータを当該グラフに重ね合わせてリアルタイムに表示することを特徴とする請求項３又は請求項４記載の血液透析装置。
【請求項６】
前記透析処理手段による透析治療を行う際、前記検出手段にて検出されたパラメータが前記算出手段にて算出された適正推移又は適正推移範囲から逸脱したことを条件として、所定の報知を行うことを特徴とする請求項３〜請求項５の何れか１つに記載の血液透析装置。
【請求項７】
前記検出手段で検出されるパラメータは、体外循環する血液の濃度から算出される循環血液量変化率（ΔＢＶ）であることを特徴とする請求項１〜請求項６の何れか１つに記載の血液透析装置。
【発明の詳細な説明】
【技術分野】
【０００１】
本発明は、患者の血液を体外循環させつつ血液透析処理及び除水を行うための血液透析装置に関するものである。
【背景技術】
【０００２】
一般に、透析治療においては、患者の血液を体外循環させるための血液回路と、該血液回路の途中に接続されたダイアライザと、しごき型の血液ポンプと、ダイアライザとの間で透析液の導入又は導出を行って血液透析処理を行いつつ除水可能な透析装置本体とを有した血液透析装置が用いられる。尚、血液回路は、先端に動脈側穿刺針が取り付けられる動脈側血液回路と、先端に静脈側穿刺針が取り付けられる静脈側血液回路とから主に構成されている。
【０００３】
そして、動脈側及び静脈側の穿刺針を患者に穿刺した状態で血液ポンプを駆動させると、動脈側穿刺針から患者の血液が採取され、その血液が、動脈側血液回路、ダイアライザ及び静脈側血液回路を経て、静脈側穿刺針から患者の体内に戻るようになっている。かかるダイアライザの内部には、血液浄化膜としての複数の中空糸が配設されており、それぞれの中空糸の内部に血液を流通させるとともに、当該中空糸の外部（即ち、中空糸の外周面と筐体の内周面との間）に透析装置本体から供給される所定濃度の透析液を流通させ、中空糸内部を通過する血液の老廃物等が血液浄化膜を透過して透析液内に排出されるようになっている。
【０００４】
これにより、老廃物等が排出されて清浄化された血液が静脈側血液回路を介して患者の体内に戻るようになっている。一方、透析装置本体内には、患者の血液から水分を取り除くための除水ポンプが配設されており、透析治療時に血液浄化膜を介して除水が行われるように構成されている。かかる除水ポンプによる除水時において除去すべき水分量（除水速度）は、除水ポンプの駆動を制御することにより行われる。
【０００５】
然るに、除水すべき量（水分除去量）が多い場合、除水速度を速くする必要があるため、患者の健康状態によっては、しばしば低血圧などのショック症状を引き起こす可能性がある。かかるショック症状の前兆を把握すべく、従来、透析治療中における患者の血液のヘマトクリット値（血液中の血球成分の体積分率）を検出し、このヘマトクリット値から患者の循環血液量の変化率（ΔＢＶ）を算出して監視する装置が提案されている。
【０００６】
即ち、通常、除水によって患者の循環血液量の変化率（ΔＢＶ）は治療時間の経過に伴い低下するのであるが、急激なΔＢＶの低下が生じた場合には低血圧などのショック症状が生じる前兆であると予想され、当該急激なΔＢＶの低下時に何らかの処置（補液処置や透析治療の停止等）を施せばショック症状を未然に防止することが可能と考えられるのである。しかして、透析治療中において、患者のヘマトクリット値を逐次測定し、そのヘマトクリット値から患者の循環血液量の変化率（ΔＢＶ）を検出し得る透析治療装置が例えば特許文献１にて開示されている。
【０００７】
ところで、上記除水ポンプによる除水量は、患者の体重がドライウェイト（透析療法によって細胞外液量が是正された時点の体重）に近づくように予め設定されるべきである。すなわち、医師等医療従事者の経験等により患者のドライウェイトが予め推定され（このように推定されたドライウェイトを推定ドライウェイトとよぶ）、その推定ドライウェイトとなるように除水量が設定されるのである。そして、推定ドライウェイトが真のドライウェイト（これを単にドライウェイトとよぶ）と近似しているか否かは、例えば循環血漿量変化率（ΔＣＰＶ％）を患者の体重変化率（ΔＢＷ％）で除する演算式にて得られるＰＷＩ（プラズマ・ウォーター・インデックス）なる指標が所定の範囲内の値であるか否かで把握することができる。
【特許文献１】特開２００４−９７７８１号公報
【発明の開示】
【発明が解決しようとする課題】
【０００８】
しかしながら、上記従来の血液透析装置においては、以下の如き問題があった。
上記従来のものは、ＰＷＩなる指標に基づき推定ドライウェイトがドライウェイトに近似した適正な透析治療であったか否かが判別できるものの、そのＰＷＩの適正値は、透析時間経過とともに変化する可能性があり、或いは透析終了時のＰＷＩの適正値も透析条件によって変化し得るため、治療が終了した後に初めて適正であったか否かが判別できるものとされている。従って、透析治療過程においては、推定ドライウェイトがドライウェイトに近似した適正な経過となっているか否かが判別できないという問題があった。
【０００９】
然るに、比較的長期に亘って透析治療を行っている安定維持透析患者においては、通常、循環血液量変化率ΔＢＶの如き透析治療過程で体外循環する血液の濃度に係るパラメータを時系列的に複数時点で測定することにより得られた時系列データ（特に標準化したもの）については、再現性があることが分かっている。しかして、本出願人は、時系列データの再現性を利用することにより、透析治療過程における透析治療の適否をリアルタイムに把握することができる血液透析装置を検討するに至った。
【００１０】
本発明は、このような事情に鑑みてなされたもので、推定ドライウェイトがドライウェイトに近似した適正な透析治療時の経過（時系列データ）を複数記憶しておき、その後の透析治療過程において、ドライウェイトに近似する適正な治療結果となるべき経過となっているか否かを判別することが容易とされる血液透析装置を提供することにある。
【課題を解決するための手段】
【００１１】
請求項１記載の発明は、体外循環する患者の血液に対して血液透析処理しつつその患者のドライウェイトであろうと推定された推定ドライウェイトに基づいた除水量に従って除水して透析治療を行う透析処理手段と、該透析処理手段による透析治療過程で体外循環する血液の濃度に係るパラメータを時系列的に複数時点で測定して時系列データを得る検出手段と、前記透析処理手段による透析治療後、前記推定ドライウェイトがドライウェイトに近似しているか否かを判定して当該透析治療の適否を判定する判定手段と、前記検出手段で得られた時系列データのうち前記判定手段で適正な透析治療であったと判定された時系列データを複数記憶し得る記憶手段とを具備するとともに、前記記憶手段で記憶された時系列データに所定の演算を行って標準化し、患者の体重又は除水量など特定患者固有の条件に関わらない普遍的な時系列データとすることを特徴とする。
【００１２】
請求項２記載の発明は、請求項１記載の血液透析装置において、前記判定手段は、除水による患者の体重変化率で循環血漿量変化率を除して得られるＰＷＩなる指標の算出に基づき、前記推定ドライウェイトがドライウェイトに近似しているか否かを判定するものであることを特徴とする。
【００１３】
請求項３記載の発明は、請求項１又は請求項２記載の血液透析装置において、前記記憶手段で記憶された複数の時系列データに基づき、適正な透析治療過程において予想される時系列データの適正推移を算出する算出手段を具備したことを特徴とする。
【００１４】
請求項４記載の発明は、請求項３記載の血液透析装置において、前記算出手段は、体外循環する血液の濃度に係るパラメータの測定時点毎における下限値から上限値までの所定幅を持った適正推移範囲を算出することを特徴とする。
【００１５】
請求項５記載の発明は、請求項３又は請求項４記載の血液透析装置において、前記透析処理手段による透析治療を行う際、前記算出手段にて算出された適正推移又は適正推移範囲をグラフとして表示しつつ前記検出手段にて測定されたパラメータを当該グラフに重ね合わせてリアルタイムに表示することを特徴とする。
【００１６】
請求項６記載の発明は、請求項３〜請求項５の何れか１つに記載の血液透析装置において、前記透析処理手段による透析治療を行う際、前記検出手段にて検出されたパラメータが前記算出手段にて算出された適正推移又は適正推移範囲から逸脱したことを条件として、所定の報知を行うことを特徴とする。
【００１８】
請求項７記載の発明は、請求項１〜請求項６の何れか１つに記載の血液透析装置において、前記検出手段で検出されるパラメータは、体外循環する血液の濃度から算出される循環血液量変化率（ΔＢＶ）であることを特徴とする。
【発明の効果】
【００２７】
請求項１の発明によれば、透析治療後、推定ドライウェイトがドライウェイトに近似しているか否かを判定して当該透析治療の適否を判定し、適正であると判定された時系列データを複数記憶するので、その後の透析治療過程において、ドライウェイトに近似する適正な治療結果となるべき経過となっているか否かを判別することが容易とされる。
また、記憶された時系列データに所定の演算を行って標準化し、患者の体重又は除水量など特定患者固有の条件に関わらない普遍的な時系列データとするので、特定の患者のみならず、多数の透析治療患者の時系列データに基づいて、推定ドライウェイトがドライウェイトに近似した適正な経過となっているか否かの判別を行わせることができる。また、特定の患者のみに適用する場合であっても、推定ドライウェイトがドライウェイトに近似した適正な経過となっているか否かの判別を行うにあたり、透析治療毎に異なる患者の前体重の変化や除水量の変化等の影響を回避することができる。
【００２８】
請求項２の発明によれば、除水による患者の体重変化率で循環血漿量変化率を除して得られるＰＷＩなる指標の算出に基づき、前記推定ドライウェイトがドライウェイトに近似しているか否かを判定するので、より簡易且つ確実に推定ドライウェイトがドライウェイトに近似しているか否かを判定して当該透析治療の適否を判定することができる。
【００２９】
請求項３の発明によれば、記憶された複数の時系列データに基づき、適正な透析治療過程において予想される時系列データの適正推移を算出するので、かかる適正推移とその後の透析治療過程において検出されるパラメータ（体外循環する血液の濃度に係るパラメータ）との比較を行えば、推定ドライウェイトがドライウェイトに近似しているか否かの判別をより容易に行わせることができる。
【００３０】
請求項４の発明によれば、体外循環する血液の濃度に係るパラメータの測定時点毎における下限値から上限値までの所定幅を持った適正推移範囲を算出するので、その後の透析治療過程において検出されるパラメータ（体外循環する血液の濃度に係るパラメータ）が当該適正範囲内であるか否かを認識することができる。
【００３１】
請求項５の発明によれば、透析治療を行う際、算出された適正推移又は適正推移範囲をグラフとして表示しつつ測定されたパラメータを当該グラフに重ね合わせてリアルタイムに表示するので、透析治療の過程において、推定ドライウェイトがドライウェイトに近似した適正な経過となっているか否かの判別をより視覚的に行わせることができるとともに、測定されたパラメータが上限値又は下限値を超える兆候を察知することができる。
【００３２】
請求項６の発明によれば、透析治療を行う際、検出されたパラメータが算出された適正推移又は適正推移範囲から逸脱したことを条件として、所定の報知を行うので、医療従事者の注意を促すことができる。
【００３４】
請求項７の発明によれば、検出されるパラメータは、体外循環する血液の濃度から算出される循環血液量変化率（ΔＢＶ）であるので、透析治療過程において、推定ドライウェイトがドライウェイトに近似した適正な循環血液量変化率の経過となっているか否かの判別を容易に行わせることができる。
【発明を実施するための最良の形態】
【００３５】
以下、本発明の実施形態について図面を参照しながら具体的に説明する。
本実施形態に係る血液透析装置は、患者の血液を体外循環させつつ血液透析処理及び除水を行うためのもので、図１に示すように、患者の血液を体外循環させるための血液回路１と、該血液回路１に接続されて血液透析処理を行うためのダイアライザ２と、該ダイアライザ２に接続されて透析液を供給しつつ除水する透析装置本体６とから主に構成されている。尚、血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。
【００３６】
動脈側血液回路１ａには、その先端に動脈側穿刺針ａが接続されているとともに、途中にしごき型の血液ポンプ３、及びヘマトクリットセンサ５が配設されている。一方、静脈側血液回路１ｂには、その先端に静脈側穿刺針ｂが接続されているとともに、途中に除泡用のドリップチャンバ４が接続されている。
【００３７】
ヘマトクリットセンサ５は、例えばＬＥＤ等の発光素子及びフォトダイオード等の受光素子を備え、発光素子から血液に所定波長の光を照射するとともに、その透過した光或いは反射した光を受光素子にて受光することにより、血液回路１内を流れて体外循環する患者の血液の濃度を示すヘマトクリット値を測定するものである。即ち、ヘマトクリット値とは、血液の濃度を示す指標であり、具体的には、全血に占める赤血球の容積率で表されるものである。
【００３８】
そして、動脈側穿刺針ａ及び静脈側穿刺針ｂを患者に穿刺した状態で、血液ポンプ３を駆動させると、患者の血液は、動脈側血液回路１ａを通ってダイアライザ２に至り、該ダイアライザ２によって血液浄化が施され、ドリップチャンバ４で除泡がなされつつ静脈側血液回路１ｂを通って患者の体内に戻る。即ち、患者の血液を血液回路１にて体外循環させつつダイアライザ２にて浄化するのである。
【００３９】
ダイアライザ２は、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体６から延設された透析液導入ラインＬ１及び透析液排出ラインＬ２とそれぞれ接続されている。
【００４０】
ダイアライザ２内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の不純物等が透析液内に透過し得るよう構成されている。
【００４１】
一方、透析装置本体６は、図２に示すように、透析液導入ラインＬ１及び透析液排出ラインＬ２に跨って形成された複式ポンプＰと、透析液排出ラインＬ２において複式ポンプＰを迂回して接続されたバイパスラインＬ３と、該バイパスラインＬ３に接続された除水ポンプ８とから主に構成されている。そして、透析液導入ラインＬ１の一端がダイアライザ２（透析液導入ポート２ｃ）に接続されるとともに、他端が所定濃度の透析液を調製する透析液供給装置７に接続されている。
【００４２】
また、透析液排出ラインＬ２の一端は、ダイアライザ２（透析液導出ポート２ｄ）に接続されるとともに、他端が図示しない廃液手段と接続されており、透析液供給装置７から供給された透析液が透析液導入ラインＬ１を通ってダイアライザ２に至った後、透析液排出ラインＬ２及びバイパスラインＬ３を通って廃液手段に送られるようになっている。
【００４３】
除水ポンプ８は、ダイアライザ２中を流れる患者の血液から水分を除去するためのものである。即ち、かかる除水ポンプ８を駆動させると、複式ポンプＰが定量型であるため、透析液導入ラインＬ１から導入される透析液量よりも透析液排出ラインＬ２から排出される液体の容量が多くなり、その多い容量分だけ血液中から水分が除去されるのである。尚、かかる除水ポンプ８以外の手段（例えば所謂バランシングチャンバ等を利用するもの）にて患者の血液から水分を除去するようにしてもよい。尚、複式ポンプＰ及び除水ポンプ９は、体外循環する患者の血液に対し血液透析処理及び除水を行うための透析処理手段を構成する。
【００４４】
一方、医師等医療従事者は、透析治療開始前に推定ドライウェイトに基づく除水量を設定することとなり、かかる除水量に基づき除水ポンプ８が駆動することとなる。ここで、推定ドライウェイトは医療従事者等が診察や経験に基づくものであり、ドライウェイトとは必ずしも一致しない。
【００４５】
一方、透析装置本体６には、図３に示すように、本発明に係る検出手段としてのΔＢＶ検出手段９と、判定手段１０と、記憶手段１１と、算出手段１２と、透析装置本体６が具備するディスプレイ等から成る表示手段１３と、音声出力可能なスピーカ等から成る報知手段１４とが配設されている。このうちΔＢＶ検出手段１０は、前述したヘマトクリットセンサ５と電気的に接続されており、当該ヘマトクリットセンサ５から送信されたヘマトクリット値に基づき循環血液量変化率（ΔＢＶ）を演算して検出するためのものである。
【００４６】
即ち、透析治療過程で体外循環する血液の濃度に係るパラメータであるヘマトクリット値をヘマトクリットセンサ５にて逐次測定するとともに、各ヘマトクリット値に基づいてΔＢＶ検出手段９が循環血液量変化率（ΔＢＶ％）を演算して検出することにより、時系列的に複数時点で測定した時系列データ（透析治療時における循環血液量変化率の経時的変化傾向を示すデータ）を得ることができるのである。
【００４７】
因みに、ヘマトクリットセンサ５にて得られるヘマトクリット値をＨｔとおくと、循環血液量の変化率ΔＢＶは、（透析開始時のＨｔ−測定時のＨｔ）／測定時のＨｔ×１００なる演算式から求めることができる。これにより、透析治療時間経過に伴って患者の循環血液量の変化率（ΔＢＶ）を逐次検出することができ、当該透析治療における時系列データを得ることができる。
【００４８】
然るに、上記ΔＢＶ検出手段９は、測定されたヘマトクリット値に基づいて循環血液量変化率（ΔＢＶ％）を求めているが、これに代えて例えばヘモグロビン濃度や血清総蛋白濃度などに基づいて循環血液量変化率（ΔＢＶ％）を用いてもよい。更に、循環血液量変化率（ΔＢＶ％）を求めるためのパラメータを測定するにあたり、光学的或いは超音波等種々形態のものを使用することができる。
【００４９】
判定手段１０は、透析治療後、推定ドライウェイトがドライウェイトに近似しているか否かを判定して当該透析治療の適否を判定するためのもので、ΔＢＶ検出手段９及び記憶手段１１とそれぞれ電気的に接続されている。かかる判定手段１０での推定ドライウェイトの判定基準は、例えば患者に対する除水による体重変化（減少）が血液濃度に対してどの程度影響するかの指標であるＰＷＩ（プラズマ・ウォーター・インデックス）を用いることができる。このＰＷＩは、循環血漿量変化率（ΔＣＰＶ％）を患者の体重変化率（ΔＢＷ％）で除する演算式（ＰＷＩ＝ΔＣＰＶ％／ΔＢＷ％）にて算出されるもので、推定ドライウェイトがドライウェイトに近似していたときには、その数値が適正範囲内となることが検証の結果明らかとされている。
【００５０】
然るに、ＰＷＩが大きいと除水による体重減少に対する血液濃縮率が大きいことを示し、除水により血液中から水分を奪っている割に血管外からの間質液の補充がなされていないことが認識できる一方、ＰＷＩが小さいと、血液から水分を奪っても間質液の補充に余裕があることが認識できる。
【００５１】
また、ＰＷＩを求めるためのパラメータであるΔＢＷ（％）及びΔＣＰＶ（％）は、以下の如く求めることができる。透析治療前の患者の体重（ＢＷ１）と、除水ポンプ８の駆動量に基づき把握される除水量（透析治療終了時点での除水積算値：ＵＦＶ）とを用い、体重変化率ΔＢＷ％が以下の式１にて求められる。
【００５２】
ΔＢＷ％＝（ＢＷ２−ＢＷ１）／ＢＷ１×１００（％）
＝（−ＵＦＶ）／ＢＷ１×１００（％）…（式１）
但し、ＢＷ２は、透析治療終了時点での患者の体重であるとともに、飲食又は排泄などによる患者の体重の増減は考慮していない。
【００５３】
また、ヘマトクリットセンサ５により検出される除水開始時点でのヘマトクリット値（Ｈｔ１（％））と、除水終了時点でのヘマトクリット値（Ｈｔ２（％））とを用い、後述する式２にて循環血漿量変化率（ΔＣＰＶ％）（血液指標の変化率）を求めることができる。尚、ＣＰＶ１、ＢＶ１を除水開始時点での循環血漿量及び循環血液量、ＣＰＶ２、ＢＶ２を除水終了時点での循環血漿量及び循環血液量とし、血液１（Ｌ）＝１（ｋｇ）とみなした場合、血漿量＝血液量×（１−血球成分比）であるから、ＣＰＶ１＝ＢＶ１×（１−Ｈｔ１／１００）、ＣＰＶ２＝ＢＶ２×（１−Ｈｔ２／１００）である。
【００５４】
ΔＣＰＶ％＝（ＣＰＶ２−ＣＰＶ１）／ＣＰＶ１×１００
＝｛ＢＶ２（１−Ｈｔ２／１００）−ＢＶ１（１−Ｈｔ１／１００）｝／｛
ＢＶ１（１−Ｈｔ１／１００）｝×１００
＝（ＢＶ２−ＢＶ１−ＢＶ２×Ｈｔ２／１００＋ＢＶ１×Ｈｔ１／１００）
／｛ＢＶ１（１−Ｈｔ１／１００）｝×１００
【００５５】
ここで、透析治療中において循環血液中の赤血球は失われず、その容積が変化しないことから、ＢＶ１×Ｈｔ１＝ＢＶ２×Ｈｔ２（両辺は循環血液の容積における赤血球の占める容積を示す）である。従って、
【００５６】
ΔＣＰＶ％＝（ＢＶ２−ＢＶ１）／｛ＢＶ１（１−Ｈｔ１／１００）｝×１００
＝（ＢＶ２／ＢＶ１−１）／（１−Ｈｔ１／１００）×１００
＝（Ｈｔ１／Ｈｔ２−１）／（１−Ｈｔ１／１００）×１００（％）…（式２）
【００５７】
上記の如きＰＷＩなる指標による推定ドライウェイトの判定基準に代えて、例えば心胸郭比に基づくものとしてもよい。かかる心胸郭比は、患者の胸部Ｘ線写真から胸郭の長さ（横幅）に対する心臓の大きさ（横幅）の比から成る値で、この心胸郭比の５０％以下となるような体重がドライウェイトとされている。よって、透析治療後に計測された心胸郭比から推定ドライウェイトがドライウェイトに近似していたか否かを判定することができる。また、上記ＰＷＩなる指標や心胸郭比の算出に加え、例えば透析治療後の患者の血圧や特定の患者別、性別、原疾患別等を参酌して推定ドライウェイトがドライウェイトに近似していたか否かを判定するようにしてもよい。
【００５８】
記憶手段１１は、例えばメモリ等から成るものであり、判定手段１０で適正な透析治療であったと判定された時系列データのみを複数記憶し得るものである。すなわち、透析治療後、判定手段１０で患者のＰＷＩが適正範囲内であると判定された時系列データが順次記憶されるので、推定ドライウェイトがドライウェイトに近似した適切な透析治療時の時系列データのみが記憶手段１１に累積的に蓄積されることとなる。
【００５９】
例えば、同一患者につき記憶手段１１にて記憶された複数の時系列データとして、図４で示す如きグラフに表すことができる。尚、当該グラフは、横軸を透析治療時間（ｈ）、縦軸をΔＢＶ検出手段９で検出された循環血液量の変化率ΔＢＶ（％）とした場合の、複数の透析治療日における時系列データを示すものであり、透析治療日毎に前体重（透析治療を行う前の患者の体重）が異なっている。
【００６０】
算出手段１２は、記憶手段１１で記憶された複数の時系列データ（例えば図４中、複数のグラフで示される各データ）に基づき、適正な透析治療過程において予想される時系列データの適正推移を算出するためのものである。また、算出手段１２は、記憶手段１１で記憶された時系列データに所定の演算を行って標準化し、患者の体重又は除水量など特定患者固有の条件に関わらない普遍的な時系列データとした後、適正推移を算出するよう構成されている。
【００６１】
時系列データの標準化は、例えば透析治療で得られたΔＢＶ値（変数）を、その透析治療前後の体重変化率（ΔＢＷ％）で除する演算（ΔＢＶ／最終ΔＢＷ）にて行うことができ、当該体重変化率（ΔＢＷ％）は、上述した式１にて算出することができる。具体的には、当該式１における除水積算値（ＵＦＶ）の項にその透析治療（適正な透析治療）における目標除水量を、前体重（ＢＷ１）の項に患者の前体重（透析治療前の体重）をそれぞれ代入することにより、標準化されて特定患者固有の条件に関わらない普遍的な時系列データ（例えば図５の如きグラフ）を得ることができる。
【００６２】
但し、標準化されないグラフとの比較を視覚的に容易たらしめるべく、図５（図７も同様）においては、負の値である体重変化率ΔＢＷ％の代わりに正の値である体重減少率（すなわち体重変化率ΔＢＷ％が負の値であるから体重減少率は「−ΔＢＷ％」として表される）を用いた演算結果をグラフ化したものとしており、時間経過に伴って下方に推移するグラフとなっている。尚、かかる時系列データの標準化のための算出を、算出手段１２とは別個の外部手段にて行わせるよう構成してもよい。
【００６３】
図５のグラフによれば、推定ドライウェイトがドライウェイトに近似した適正な透析治療時の時系列データは、上記の如き標準化処理がなされると、ほぼ一定の経時的変化傾向（トレンド）を有することが分かり、再現性を有することが認められる。これら標準化された時系列データに対して例えば回帰計算を施して曲線回帰を図り（即ち相関性を見いだす）、適正な透析治療過程において予想される時系列データの適正推移を算出することができる。
【００６４】
また、標準化された時系列データの分布から、測定時点毎（体外循環する血液の濃度に係るパラメータ（本実施形態においてはΔＢＶ）の測定時点毎）における下限値から上限値までの所定幅を持った適正推移範囲を算出するようにしてもよい。例えば上限値及び下限値を透析治療時間に対する関数とすることにより適正推移範囲をグラフ化すると、例えば図６で示すように、透析治療時間経過に伴う上限の関数（Ｕ）と下限値の関数（Ｄ）を得ることができる。
【００６５】
更に、上記の如く標準化された回帰曲線を利用し、これから行われる透析治療の目標除水量と患者の前体重を当該回帰曲線の式に代入することにより、その透析治療での血液指標の推移を予想することができる。すなわち、ΔＢＶ／最終ΔＢＷ＝ΔＢＶ（％）／（除水量／ＢＷ前×１００（％））であることから、「除水量」の項にその透析治療の「目標除水量」、及び「ＢＷ前」の項にその透析治療前に計測した患者の体重（前体重）をそれぞれ代入すれば、その透析治療におけるΔＢＶの推移が予想できるのである。
【００６６】
尚、上記した如き上限値及び下限値の透析治療時間に対する関数における最終ＢＷの項に対して、上記と同様の前体重と目標除水量を代入すれば、その透析治療における時間ｔに対するΔＢＶ推移の範囲（上限値及び下限値）を予想することができる。
【００６７】
上記の如く得られた予想推移を、以下に示す表示手段１３に表示して適正推移の傾向と比較できるようにしてもよい。然るに、予想推移の適正推移からの乖離が認められた場合、これを修正するように透析治療条件を変更することも可能である。
【００６８】
表示手段１３は、本血液透析装置にて透析治療を行う際、算出手段１２にて算出された適正推移又は適正推移範囲をグラフとして表示しつつΔＢＶ検出手段９にて測定された循環血液量変化率（ΔＢＶ）を当該グラフに重ね合わせてリアルタイムに表示するものである。例えば測定された循環血液量変化率（ΔＢＶ）と上限値及び下限値を有する適正推移範囲とをグラフとして表示したものを図６に示す。これにより、透析治療の過程において、推定ドライウェイトがドライウェイトに近似した適正な経過となっているか否かの判別をより視覚的に行わせることができるとともに、循環血液量変化率（ΔＢＶ）が上限値又は下限値を超える兆候を察知することができる。
【００６９】
報知手段１４は、透析治療を行う際、測定された循環血液量変化率（ΔＢＶ）が算出手段１２にて算出された適正推移又は適正推移範囲から逸脱したことを条件として、所定の報知を行うものであり、例えば音声等を出力し得るスピーカや光を照射し得る光源（ＬＥＤなど）から成るものである。例えば、透析治療過程において、測定された循環血液量変化率（ΔＢＶ）が適正推移範囲の上限値を超えた場合は、推定ドライウェイトがその患者のドライウェイトに比べて高い（設定除水量が小さ過ぎ）と判断し得るとともに、下限値を超えた場合は、推定ドライウェイトがその患者のドライウェイトに比べて低い（設定除水量が大き過ぎ）と判断することができるので、これを踏まえたガイダンスを行うことができる。
【００７０】
このように、透析治療を行う際、検出されたパラメータが算出された適正推移又は適正推移範囲から逸脱したことを条件として、所定の報知を行うので、医療従事者の注意を促すことができる。尚、報知手段１４による報知やガイダンス内容を記録に残し、その後の透析治療に活用すようにしてもよい。
【００７１】
上記血液透析装置によれば、推定ドライウェイトが患者のドライウェイトに近似しているか否かに基づいて透析治療の適否を判定し、適正であると判定された時系列データを複数記憶するので、その後の透析治療過程においては、推定ドライウェイトがドライウェイトに近似した適正な経過となっているか否かを判別することが容易である。また、体外循環する血液の濃度から算出される循環血液量変化率（ΔＢＶ）をパラメータとして検出しているので、透析治療過程において、推定ドライウェイトがドライウェイトに近似した適正な循環血液量変化率の経過となっているか否かの判別を容易に行わせることができる。
【００７２】
加えて、推定ドライウェイトが患者のドライウェイトに近似しているか否かの判定につき、ＰＷＩなる指標の算出により行っているため、例えば心胸郭比などによる判定に比べ胸部Ｘ線写真等を得る必要がない。従って、より簡易且つ確実に推定ドライウェイトがドライウェイトに近似しているか否かを判定して当該透析治療の適否を判定することができる。
【００７３】
更に、適正推移とその後の透析治療過程において検出される循環血液量変化率（ΔＢＶ）（体外循環する血液の濃度に係るパラメータ）との比較を行えば、推定ドライウェイトがドライウェイトに近似した適正な経過となっているか否かの判別をより容易に行わせることができ、特に、循環血液量変化率（ΔＢＶ）の測定時点毎における下限値から上限値までの所定幅を持った適正推移範囲を算出すれば、その後の透析治療過程において検出される循環血液量変化率（ΔＢＶ）が当該適正範囲内であるか否かを認識することができる。
【００７４】
また更に、記憶手段１１にて記憶された時系列データに所定の演算を行って標準化し、患者の体重又は除水量など特定患者固有の条件に関わらない普遍的な時系列データとするので、特定の患者のみに適用する場合であっても、推定ドライウェイトがドライウェイトに近似した適正な経過となっているか否かの判別を行うにあたり、透析治療毎に異なる患者の前体重の変化や除水量の変化等の影響を回避することができる。
【００７５】
然るに、時系列データに所定の演算を行って標準化して普遍的な時系列データとすることにより、上記実施形態の如く特定の患者のみならず、多数の透析治療患者の時系列データに基づいて、推定ドライウェイトがドライウェイトに近似した適正な経過となっているか否かの判別を行わせることができる。その場合、図７に示すように、例えば多数の透析治療患者の時系列データに対して回帰計算等により所定時間毎の分布幅を求め、普遍的な上限値及び下限値を有した適性推移範囲を得るようにするのが好ましい。
【００７６】
以上、本実施形態について説明したが、本発明はこれに限定されるものではなく、例えば透析治療過程で体外循環する血液の濃度に係る他のパラメータ（ヘマトクリット値自体、循環血液量（ＢＶ）、循環血漿量（ＣＰＶ）、循環血漿量変化率（ΔＣＰＶ）など）を時系列毎に複数時点で測定して時系列データを得るようにし、それを判定手段１０にて判定するようにしてもよい。
【００７７】
また、透析治療時間に対する循環血液量変化率（ΔＢＶ）を測定する過程において、患者が飲食、補液或いは体位変換（寝返り等）のイベントを入力して、除水によらない見かけ上の循環血液量変化率（ΔＢＶ）の変動による影響を排除（データ取得排除等）し得るようにしてもよい。この場合、時系列データの収集精度を向上させることができる。
【００７８】
更に、判定手段で適正な透析治療であったと判定された時系列データを複数記憶し得る記憶手段は、本実施形態の如く血液透析装置内に配設されたものに限定されず、例えば外部の中央監視システムなどを利用してもよい。この場合、患者の時系列データを容易に共有化することができ、共有化した患者の時系列データをデータベース化して一括管理することができる。また更に、算出手段１２の算出により算出された適正推移又は適正推移範囲に対し、透析条件の変化や医師等の医療従事者の見解等に基づいて補正を施すようにしてもよい。
【産業上の利用可能性】
【００７９】
透析治療過程で体外循環する血液の濃度に係るパラメータを時系列的に複数時点で測定して時系列データを得るとともに、当該透析治療後、推定ドライウェイトがドライウェイトに近似しているか否かを判定して当該透析治療の適否を判定し、検出手段で得られた時系列データのうち適正であると判定された時系列データを複数記憶するものとされ、且つ、記憶手段で記憶された時系列データに所定の演算を行って標準化し、患者の体重又は除水量など特定患者固有の条件に関わらない普遍的な時系列データとする血液透析装置であれば、別途の機能が付加されたもの不随機能がないもの等、他の形態の血液透析装置及び血液透析方法に適用することができる。
【図面の簡単な説明】
【００８０】
【図１】本発明の実施形態に係る血液透析装置を示す全体模式図
【図２】同血液透析装置における透析装置本体であって、内部の機械的構成を示す模式図
【図３】同血液透析装置における透析装置本体であって、内部の電気的構成等を示すブロック図
【図４】同血液透析装置における記憶手段で記憶された複数の時系列データを表示手段にて表示させたグラフ
【図５】同血液透析装置における記憶手段で記憶された複数の時系列データに対して標準化を施したものを表示手段にて表示させたグラフ
【図６】同血液透析装置における算出手段で算出された適正推移範囲と、透析治療過程におけるΔＢＶ手段で測定された循環血液量変化率（ΔＢＶ）とを表示手段にて重ね合わせて表示させたグラフ
【図７】同血液透析装置において多数の患者の時系列データに対し回帰計算を施して得られた分布幅を示すグラフ
【符号の説明】
【００８１】
１    血液回路
１ａ  動脈側血液回路
１ｂ  静脈側血液回路
２    ダイアライザ
３    血液ポンプ
４    静脈側ドリップチャンバ
５    ヘマトクリットセンサ
６    透析装置本体
７    透析液供給装置
８    除水ポンプ
９    ΔＢＶ検出手段（検出手段）
１０  判定手段
１１  記憶手段
１２  算出手段
１３  表示手段
１４  報知手段
【図１】
0004822258.tif 000002
【図２】
0004822258.tif 000003
【図３】
0004822258.tif 000004
【図４】
0004822258.tif 000005
【図５】
0004822258.tif 000006
【図６】
0004822258.tif 000007
【図７】
0004822258.tif 000008